(57)【要約】【課題】生体などの電界伝達媒体内などに埋設された機器との通信を簡単、安全かつ経済的に行い得る埋設式通信装置および該装置を用いたデータ処理システムを提供する。【解決手段】電界伝達媒体である生体１ａ内に防水性絶縁被覆手段６１で囲んで電界通信用のトランシーバ５１、コンピュータ５３および機器であるペースメーカ３を設けて埋設式通信装置５を構成し、外側コンピュータ９からのデータを電界通信用の外側トランシーバ７から外側送受信電極１１を介して生体１ａに電界として誘起し、この電界を埋設式通信装置５の送受信電極５９を介してトランシーバ５１で受信し、電気信号のデータとしてコンピュータ５３に供給し、コンピュータ５３からペースメーカ３にデータを供給する。【選択図】図３
2005277718.tif 000002
【特許請求の範囲】
【請求項１】
機器が埋設された電界伝達媒体内に埋設されて使用されるかまたは電界伝達媒体内に埋設された機器内に内蔵されて使用される埋設式通信装置であって、
前記機器に接続され、該機器への信号の送信または機器からの信号の受信または機器に対する信号の授受を行う機器接続手段と、
電界伝達媒体に絶縁体を介して密接している通信用電極と、
該通信用電極と前記機器接続手段との間に接続され、該機器接続手段からのデータを前記通信用電極を介して電界伝達媒体に電界として誘起し、電界伝達媒体に誘起され伝達されてくる電界を前記通信用電極を介して受信しデータとして前記機器接続手段に出力する電界通信用のトランシーバと
を有することを特徴とする埋設式通信装置。
【請求項２】
機器が埋設された電界伝達媒体内に埋設されて使用されるかまたは電界伝達媒体内に埋設された機器内に内蔵されて使用される埋設式通信装置であって、
前記機器に接続され、該機器への信号の送信または機器からの信号の受信または機器に対する信号の授受を行う機器接続手段と、
電界伝達媒体に絶縁体を介して密接している通信用電極と、
該通信用電極と前記機器接続手段との間に接続され、該機器接続手段からのデータを前記通信用電極を介して電界伝達媒体に電界として誘起し、電界伝達媒体に誘起され伝達されてくる電界を前記通信用電極を介して受信しデータとして前記機器接続手段に出力する電界通信用のトランシーバと、
前記機器接続手段およびトランシーバを電界伝達媒体から水密的に保護すべく全体的に取り囲む絶縁体からなる防水性絶縁被覆手段と
を有することを特徴とする埋設式通信装置。
【請求項３】
前記防水性絶縁被覆手段内に取り囲まれ、前記通信用電極に対して設けられるグランド電極を有することを特徴とする請求項２記載の埋設式通信装置。
【請求項４】
前記機器は、前記防水性絶縁被覆手段内に取り囲まれて設けられるかまたは前記防水性絶縁被覆手段の外部の電界伝達媒体内に設けられることを特徴とする請求項２または３記載の埋設式通信装置。
【請求項５】
前記通信用電極は、前記防水性絶縁被覆手段の外側に取り付けられていることを特徴とする請求項２乃至４のいずれか１項に記載の埋設式通信装置。
【請求項６】
前記機器接続手段は、コンピュータであることを特徴とする請求項１乃至５のいずれか１項に記載の埋設式通信装置。
【請求項７】
請求項１乃至６のいずれか１項に記載の埋設式通信装置を用いたデータ処理システムであって、
前記埋設式通信装置が埋設される電界伝達媒体の外側において該電界伝達媒体に絶縁体を介して密接して設けられる外部通信用電極と、
前記電界伝達媒体の外側に設けられ、前記埋設式通信装置の機器接続手段とデータの送受信を行うかまたは埋設式通信装置の機器接続手段からのデータを受信するかまたは埋設式通信装置の機器接続手段にデータを送信する外部コンピュータと、
前記外部通信用電極と外部コンピュータとの間に接続され、外部コンピュータからのデータを受信した場合、該データを外部通信用電極を介して電界伝達媒体に電界として誘起し、電界伝達媒体に誘起され伝達されてくる電界を外部通信用電極を介して受信した場合、データとして外部コンピュータに出力する電界通信用の外部トランシーバと
を有し、
外部コンピュータからのデータを外部トランシーバが受信した場合、該データを外部トランシーバから外部通信用電極を介して電界伝達媒体に電界として誘起し、
この電界伝達媒体に誘起された電界を埋設式通信装置の通信用電極を介して埋設式通信装置のトランシーバで受信した場合、データとして埋設式通信装置の機器接続手段に出力し、
埋設式通信装置の機器接続手段からのデータを埋設式通信装置のトランシーバが受信した場合、該データを埋設式通信装置のトランシーバから埋設式通信装置の通信用電極を介して電界伝達媒体に電界として誘起し、
この電界伝達媒体に誘起された電界を外部通信用電極を介して外部トランシーバで受信した場合、データとして外部コンピュータに出力する
ことを特徴とするデータ処理システム。
【発明の詳細な説明】
【技術分野】
【０００１】
本発明は、機器が埋設された電界伝達媒体内に埋設されて使用されるかまたは電界伝達媒体内に埋設された機器内に内蔵されて使用される埋設式通信装置および該装置を用いたデータ処理システムに関する。
【背景技術】
【０００２】
電界伝達媒体である例えば生体内などに埋設される機器である例えばペースメーカと通信し、その例えばパルス間隔や強さなどを外部から制御することが必要な場合がある。このように生体内などに埋設された機器と通信方法として、従来は一般に無線方式を使用している。
【非特許文献１】http://www.medtronic.com
【発明の開示】
【発明が解決しようとする課題】
【０００３】
生体内などに埋設された機器と無線方式で通信する場合には、十分なＳ／Ｎ比を得るために非常に高感度で高価な検出器が必要であったり、出力する電磁波を強くする必要があり、価格、安全性、容易性という点において多くの問題がある。
【０００４】
本発明は、上記に鑑みてなされたもので、その目的とするところは、生体などの電界伝達媒体内などに埋設された機器との通信を簡単、安全かつ経済的に行い得る埋設式通信装置および該装置を用いてデータ処理システムを提供することにある。
【課題を解決するための手段】
【０００５】
請求項１記載の本発明の埋設式通信装置は、機器が埋設された電界伝達媒体内に埋設されて使用されるかまたは電界伝達媒体内に埋設された機器内に内蔵されて使用される埋設式通信装置であって、前記機器に接続され、該機器への信号の送信または機器からの信号の受信または機器に対する信号の授受を行う機器接続手段と、電界伝達媒体に絶縁体を介して密接している通信用電極と、該通信用電極と前記機器接続手段との間に接続され、該機器接続手段からのデータを前記通信用電極を介して電界伝達媒体に電界として誘起し、電界伝達媒体に誘起され伝達されてくる電界を前記通信用電極を介して受信しデータとして前記機器接続手段に出力する電界通信用のトランシーバとを有することを要旨とする。
【０００６】
請求項２記載の本発明の埋設式通信装置は、機器が埋設された電界伝達媒体内に埋設されて使用されるかまたは電界伝達媒体内に埋設された機器内に内蔵されて使用される埋設式通信装置であって、前記機器に接続され、該機器への信号の送信または機器からの信号の受信または機器に対する信号の授受を行う機器接続手段と、電界伝達媒体に絶縁体を介して密接している通信用電極と、該通信用電極と前記機器接続手段との間に接続され、該機器接続手段からのデータを前記通信用電極を介して電界伝達媒体に電界として誘起し、電界伝達媒体に誘起され伝達されてくる電界を前記通信用電極を介して受信しデータとして前記機器接続手段に出力する電界通信用のトランシーバと、前記機器接続手段およびトランシーバを電界伝達媒体から水密的に保護すべく全体的に取り囲む絶縁体からなる防水性絶縁被覆手段とを有することを要旨とする。
【０００７】
請求項３記載の本発明の埋設式通信装置は、前記防水性絶縁被覆手段内に取り囲まれ、前記通信用電極に対して設けられるグランド電極を有することを要旨とする。
【０００８】
請求項４記載の本発明の埋設式通信装置は、前記機器が、前記防水性絶縁被覆手段内に取り囲まれて設けられるかまたは前記防水性絶縁被覆手段の外部の電界伝達媒体内に設けられることを要旨とする。
【０００９】
請求項５記載の本発明の埋設式通信装置は、前記通信用電極が、前記防水性絶縁被覆手段の外側に取り付けられていることを要旨とする。
【００１０】
請求項６記載の本発明の埋設式通信装置は、前記機器接続手段が、コンピュータであることを要旨とする。
【００１１】
請求項７記載の本発明のデータ処理システムは、請求項１乃至６のいずれか１項に記載の埋設式通信装置を用いたデータ処理システムであって、前記埋設式通信装置が埋設される電界伝達媒体の外側において該電界伝達媒体に絶縁体を介して密接して設けられる外部通信用電極と、前記電界伝達媒体の外側に設けられ、前記埋設式通信装置の機器接続手段とデータの送受信を行うかまたは埋設式通信装置の機器接続手段からのデータを受信するかまたは埋設式通信装置の機器接続手段にデータを送信する外部コンピュータと、前記外部通信用電極と外部コンピュータとの間に接続され、外部コンピュータからのデータを受信した場合、該データを外部通信用電極を介して電界伝達媒体に電界として誘起し、電界伝達媒体に誘起され伝達されてくる電界を外部通信用電極を介して受信した場合、データとして外部コンピュータに出力する電界通信用の外部トランシーバとを有し、外部コンピュータからのデータを外部トランシーバが受信した場合、該データを外部トランシーバから外部通信用電極を介して電界伝達媒体に電界として誘起し、この電界伝達媒体に誘起された電界を埋設式通信装置の通信用電極を介して埋設式通信装置のトランシーバで受信した場合、データとして埋設式通信装置の機器接続手段に出力し、埋設式通信装置の機器接続手段からのデータを埋設式通信装置のトランシーバが受信した場合、該データを埋設式通信装置のトランシーバから埋設式通信装置の通信用電極を介して電界伝達媒体に電界として誘起し、この電界伝達媒体に誘起された電界を外部通信用電極を介して外部トランシーバで受信した場合、データとして外部コンピュータに出力することを要旨とする。
【発明の効果】
【００１２】
本発明によれば、電界通信用のトランシーバに通信用電極を接続し、機器接続手段に機器を接続して埋設式通信装置を構成するので、この埋設式通信装置を例えば生体に埋設して、機器である例えばペースメーカなどに接続することにより、ペースメーカなどからのデータの受信またはデータの送信またはデータの送受信を生体を介した電界通信により従来のように無線を使用せずに容易、安全かつ経済的に制御することができる。
【００１３】
本発明によれば、電界通信用のトランシーバおよび機器接続手段を防水性絶縁被覆手段で水密的に囲み、トランシーバに通信用電極を接続し、機器接続手段に機器を接続して埋設式通信装置を構成するので、この埋設式通信装置を例えば生体に埋設して、機器である例えばペースメーカなどに接続することにより、ペースメーカなどからのデータの受信またはデータの送信またはデータの送受信を生体を介した電界通信により従来のように無線を使用せずに容易、安全かつ経済的に制御することができる。
【００１４】
本発明によれば、請求項１乃至６のいずれか１項に記載の埋設式通信装置を用いることにより、外部コンピュータは外部トランシーバを介した埋設式通信装置との電界通信により埋設式通信装置からデータを受信したり、または埋設式通信装置にデータを送信したり、またはデータの送受信を行うことができるので、例えば生体などに埋設したペースメーカなどの制御機器に対するデータ処理などを生体などを介した電界通信により従来のように無線を使用せずに容易、安全かつ経済的に制御することができる。
【発明を実施するための最良の形態】
【００１５】
以下、図面を用いて、本発明を実施するための最良の形態（以下、実施形態と称する）を説明する。
【００１６】
図１は、本発明の一実施形態に係わる埋設式通信装置を用いたデータ処理システムの構成を示す図である。同図に示す実施形態のデータ処理システムにおいては、利用者１の体内に埋設式通信装置５が埋設され、この埋設式通信装置５に電気的に接続されて制御機器であるペースメーカ３が埋設されている。また、利用者１の手先は電界通信用のトランシーバ７を把持などし、このトランシーバ７にはコンピュータ９が接続されている。
【００１７】
埋設式通信装置５は、詳しくは図２に示すように、電界伝達媒体である利用者１の体内１ａ内に防水性絶縁被覆手段６１で水密的に保護されるように全体的に取り囲まれて設けられている。なお、防水性絶縁被覆手段６１は、防水性の絶縁体である例えばシリコン系の材質で形成されている。
【００１８】
このように防水性絶縁被覆手段６１で囲まれた埋設式通信装置５は、ＣＰＵ５３ａとメモリ５３ｂからなるコンピュータ５３を有し、このコンピュータ５３には前記ペースメーカ３および電界通信用のトランシーバ（ＴＲＸ）５１が接続されている。コンピュータ５３およびトランシーバ５１にはバッテリ５５が接続され、このバッテリ５５から動作電力がコンピュータ５３およびトランシーバ５１に供給されている。
【００１９】
また、トランシーバ５１には送受信電極５９および該送受信電極５９に対するグランド電極５７が接続され、送受信電極５９は、防水性絶縁被覆手段６１の外側において防水性絶縁被覆手段６１に接触して設けられ、送受信電極５９の外側は防水性絶縁体６５で被覆されている。また、グランド電極５７は、防水性絶縁被覆手段６１内に設けられている。なお、埋設式通信装置５の防水性絶縁被覆手段６１で囲まれた内部は、上述した各種電気素子の間に絶縁性充填材６３を充填されている。この絶縁性充填材６３は、例えば発泡性の絶縁体からなるものが好ましい。
【００２０】
図２において、生体１ａの外側には絶縁フィルム１３で被覆された送受信電極１１が密接して設けられ、この送受信電極１１は前記トランシーバ７を介してコンピュータ９に接続されている。
【００２１】
なお、送受信電極１１が絶縁フィルム１３を介して密接している生体１ａの外側とは、図１における利用者１の例えば手先、腕などの身体の皮膚に相当する部分であり、送受信電極１１が絶縁フィルム１３を介して利用者１の例えば手先に接触している状態に相当する。
【００２２】
なお、図１においては、簡単化のために、トランシーバ７は、利用者１の手先に把持されていると説明し、図１では送受信電極１１および絶縁フィルム１３を省略したが、詳しくは、絶縁フィルム１３で被覆された送受信電極１１がトランシーバ７の外側などに設けられていて、利用者１は、手でトランシーバ７を把持する場合には、絶縁フィルム１３を介して送受信電極１１に利用者１の手先の一部が接触しているものである。なお、以下の説明では、送受信電極１１、トランシーバ７、コンピュータ９は、それぞれ埋設式通信装置５の送受信電極５９、トランシーバ５１、コンピュータ５３と区別するために、外側なる修飾をつけて、外側送受信電極１１、外側トランシーバ７、外側コンピュータ９と称することにする。
【００２３】
埋設式通信装置５のトランシーバ５１は、送受信電極５９を介して利用者１の生体１ａに電界を誘起し、この誘起した電界を用いてデータの送受信を行なうものであり、コンピュータ５３からのデータを電界としてトランシーバ５１を介して生体１ａに誘起して伝達したり、また利用者１の生体１ａを通って伝達されてくる電界をレーザ光と電気光学結晶を用いた電気光学的手法により検知して電気信号のデータとして出力し、コンピュータ５３に供給する。
【００２４】
トランシーバ５１は、詳しくは、図３に示すように、コンピュータ５３からのデータを入力し、該コンピュータ５３にデータを出力する入出力（Ｉ／Ｏ）回路１０１と、この入出力回路１０１からのデータを受け取り、このデータを送信すべく該データに基づく電界を送受信電極５９、防水性絶縁体６５を介して生体１ａに誘起する送信回路１０３と、生体１ａの他の部位に誘起された電界を防水性絶縁体６５、送受信電極５９を介して受信し、電気信号のデータとして出力する電界検出光学部１０５と、この電界検出光学部１０５から出力される電気信号のデータを増幅するとともに雑音除去などの信号処理して出力する信号処理回路１０７と、この信号処理回路１０７の出力信号に対して波形整形などを施し入出力回路１０１を介してコンピュータ５３に供給する波形整形回路１０９とを有する。
【００２５】
トランシーバ５１を構成する前記電界検出光学部１０５は、生体１ａに誘起されて伝達され、防水性絶縁体６５、送受信電極５９を介して結合される電界をレーザ光と電気光学結晶を用いた電気光学的手法により検知し、電気信号のデータに変換して信号処理回路１０７の出力するように機能するものであり、詳しくは図４に示すように、レーザダイオード２２１および電気光学結晶からなる電気光学素子２０１を有する。電気光学素子２０１は、レーザダイオード２２１からのレーザ光の進行方向に対して例えば直角方向に結合される電界にのみ感度を有し、この電界強度によって光学特性、すなわち複屈折率が変化し、この複屈折率の変化によりレーザ光の偏光が変化するようになっている。
【００２６】
電気光学素子２０１の図上で上下方向に対向する両側面には第１および第２の電極２０３、２０５が設けられ、第１の電極２０３には前記送受信電極５９が接続され、第２の電極７１にはグランド電極５７が接続されている。送受信電極５９は、生体１ａに誘起されて伝達されてくる電界を検知すると、この電界を第１の電極２０３に伝達し、第１の電極２０３を介して電気光学素子２０１に結合するようになっている。
【００２７】
レーザダイオード２２１から出力されるレーザ光は、コリメートレンズ２２３を介して平行光にされ、平行光となったレーザ光は第１の波長板２１１で偏光状態を調整されて電気光学素子２０１に入射する。電気光学素子２０１に入射したレーザ光は、電気光学素子２０１内で第１、第２の電極２０３、２０５の間を伝播するが、このレーザ光の伝播中において送受信電極５９が利用者１の身体に誘起されて伝達されてくる電界を検出し、この電界を第１の電極２０３を介して電気光学素子２０１に結合すると、この電界は第１の電極２０３からグランド電極２０７に接続されている第２の電極２０５に向って形成され、レーザダイオード２２１から電気光学素子２０１に入射したレーザ光の進行方向に直角であるため、電気光学素子２０１の光学特性である複屈折率が変化し、これによりレーザ光の偏光が変化する。
【００２８】
このように電気光学素子２０１において第１の電極２０３からの電界によって偏向が変化したレーザ光は、第２の波長板２１３で偏光状態を調整されて偏光ビームスプリッタ２１５に入射する。偏光ビームスプリッタ２１５は、第２の波長板２１３から入射されたレーザ光をＰ波およびＳ波に分離して、光の強度変化に変換する。この偏光ビームスプリッタ２１５でＰ波成分およびＳ波成分に分離されたレーザ光は、それぞれ第１、第２の集光レンズ２２５、２３１で集光されてから、第１、第２のフォトダイオード２２７、２３３に供給され、第１、第２のフォトダイオード２２７、２３３においてＰ波光信号とＳ波光信号をそれぞれの電気信号に変換して出力する。
【００２９】
第１、第２のフォトダイオード２２７、２３３から出力される電気信号は、トランシーバ５１の信号処理回路１０７で増幅、雑音除去などの信号処理を施され、整形回路１０９で波形整形されてから、入出力回路１０１を介してコンピュータ５３に供給される。なお、上記では、トランシーバ５３について説明したが、外側トランシーバ７の構成もトランシーバ５３と同じである。
【００３０】
次に、以上のように構成される埋設式通信装置５を用いてデータ処理システムの作用について説明する。具体的には、利用者１の生体１ａ内に植え込まれた制御機器であるペースメーカ３の例えばパルス間隔や強さなどを埋設式通信装置５を介して外側コンピュータ９から制御するようなデータ処理について説明する。
【００３１】
図１、２で説明したように、ペースメーカ３を内蔵した埋設式通信装置５を利用者１の生体１ａに埋設するとともに、利用者１が手に外側トランシーバ７を把持し、この外側トランシーバ７に外側コンピュータ９を接続した状態において、外側コンピュータ９からペースメーカ３に指令し、そのパルス間隔や強さなどを制御する場合に、ペースメーカ３のパルス間隔や強さなどを制御するためのデータが外側コンピュータ９から出力されると、このデータは利用者１の手先に把持されれている外側トランシーバ７から外側送受信電極１１を介して利用者１の生体１ａに前記データを電界として誘起する。
【００３２】
この生体１ａに外側送受信電極１１から誘起された電界は、埋設式通信装置５の送受信電極５９を介して埋設式通信装置５のトランシーバ５１で受信され、電気信号のデータに変換され、埋設式通信装置５のコンピュータ５３に供給される。コンピュータ５３は、このデータに基づきペースメーカ３を制御し、ペースメーカ３のパルス間隔や強さなどを制御する。
【００３３】
また、埋設式通信装置５のコンピュータ５３は、外側コンピュータ９に対して送信したいデータがある場合には、具体的には例えば、埋設式通信装置５のコンピュータ５３がペースメーカ３の状態を検知でき、この検知データを送信しようとする場合やペースメーカ３がコンピュータ５３に対してデータを出力するような構成になっていて、コンピュータ５３がペースメーカ３からデータを受信し、この受信データを送信しようとする場合には、このような埋設式通信装置５のコンピュータ５３からのデータは、トランシーバ５１から送受信電極５９を介して利用者１の生体１ａに電界として誘起される。
【００３４】
この利用者１の生体１ａに誘起された電界は、利用者１の手先に把持されている外側トランシーバ７で検知され、詳しくは、当該電界は、外側トランシーバ７の外側などに絶縁フィルム１３で巻回などされて取り付けられている外側送受信電極１１を介して外側トランシーバ７で検知され、電気信号のデータとして外側コンピュータ９に入力する。
【００３５】
なお、上記説明は、制御機器としてペースメーカ３を用いた場合について説明したが、本発明はペースメーカに限定されるものでなく、ペースメーカの代わりに任意の制御機器に対して適用し得るものである。また、図１、２では、制御機器としてペースメーカ３は、防水性絶縁被覆手段６１で被覆されて防水性絶縁被覆手段６１内に内蔵されている場合について説明したが、本発明はこのような内蔵構造に限定されるものでなく、ペースメーカ３などの制御機器を埋設式通信装置５の外部、すなわち防水性絶縁被覆手段６１の外側の生体１ａ内に設け、この外側に設けられた制御機器と埋設式通信装置５とをケーブルなどで接続してもよい。そして、このような場合には、両者を接続するケーブルは防水性絶縁被覆手段６１を貫通して配設されるので、この貫通部は生体１ａの液体が埋設式通信装置５内に侵入しないように水密的に構成されることが好ましい。
【００３６】
図５は、本発明の他の実施形態に係わる埋設式通信装置の構成を示すブロック図である。
【００３７】
同図に示す実施形態の埋設式通信装置５０は、図２に示した埋設式通信装置５においてペースメーカ３を制御機器３０とするとともに、カメラ７１およびアクチュエータ７３を新たに設けた点が異なるのみであり、その他の構成および作用は同じであり、同じ構成要素には同じ符号を付している。なお、カメラ７１はコンピュータ５３のＣＰＵ５３ａに接続されるとともにバッテリ５５から動作電力を供給され、またアクチュエータ７３は制御機器３０に接続されている。
【００３８】
カメラ７１およびアクチュエータ７３は、埋設式通信装置５０を取り囲んで構成している防水性絶縁被覆手段６１の部分に水密的に取り付けられ、防水性絶縁被覆手段６１の周囲の例えば液体などが埋設式通信装置５０内に侵入しないように構成されている。
【００３９】
このように構成される埋設式通信装置５０は、例えば胃カメラとして使用され得るものである。胃カメラとして使用した場合には、カメラ７１は胃腸内の画像を撮像するための動画用カメラであり、アクチュエータ７３は例えばカメラ７１で胃腸内の所望の部位を撮影するために埋設式通信装置５０、ひいてはカメラ７１を胃腸内で所望の位置、方向に移動させるための移動手段を任意の手段で構成しているものである。なお、埋設式通信装置５０の構成は上記構成に限定されるものではなく、例えば各種センサ、サンプリング手段、分析手段等を適宜含むものであっても良い。
【００４０】
埋設式通信装置５０を胃カメラとして使用する場合には、埋設式通信装置５０を利用者の胃内に挿入するとともに、利用者の手先または腕などに図１に示すように外側トランシーバ７を接触させる。詳しくは、利用者の手先や腕などに絶縁フイルム１３で絶縁された外側送受信電極１１を介して外側トランシーバ７を接触させ、この外側トランシーバ７を外側コンピュータ９に接続し、カメラ７１で撮影した胃内の画像を外側コンピュータ９のディスプレイに表示し得るようにする。
【００４１】
そして、埋設式通信装置５０のカメラ７１で胃の中を撮影し、この撮影した胃の画像データをコンピュータ５３からトランシーバ５１、送受信電極５９を介して利用者の生体に電界として誘起させる。この利用者の生体に誘起された電界は、利用者の手先や腕などに接触された外側送受信電極１１を介して外側トランシーバ７で受信され、電気信号の画像データとして外側コンピュータ９に供給される。この画像データは、外側コンピュータ９のディスプレイに表示される。
【００４２】
このディスプレイに表示された利用者の胃内の画像データを見て、更に胃内の別の部位を見たい場合には、その部位の方向へ埋設式通信装置５０、ひいてはカメラ７１を移動させるための移動指令データを外側コンピュータ９から出力し、この移動指令データを外側トランシーバ７から外側送受信電極１１を介して利用者の生体に電界として誘起させる。
【００４３】
利用者の生体に誘起された移動指令データに相当する電界は、埋設式通信装置５０の送受信電極５９を介してトランシーバ５１で検知され、電気信号の移動指令データとして外側コンピュータ９に供給される。外側コンピュータ９は、この移動指令データに基づき制御機器３０を介してアクチュエータ７３を制御し、カメラ７１が胃内の別の部位を撮像し得るように埋設式通信装置５０を移動させる。
【００４４】
なお、上述した各実施形態では、制御機器としてペースメーカを用いた場合について説明したが、本発明は、制御機器である必要はなく、単なる機器であってよく、例えば機器としてセンサなどのように検知したデータを常時または任意の間隔または検知時などに自動的に送信してくる機器であって、埋設式通信装置では、この返信データを単に受信するのみのものであってもよいし、または埋設式通信装置から一方的に送信されるデータを受信するのみの機能を有するような機器でもよいし、または埋設式通信装置とデータの送受信を行い、これによりデータ処理を行うような機器であってもよいように任意の機器、例えば測定機器、治療機器などでもよいものである。
【００４５】
また、上記各実施形態では、埋設式通信装置はコンピュータ５３を用いているが、本発明はコンピュータを用いることに限定されるものでなく、例えばペースメーカなどの機器からのデータを受信してトランシーバ５１に単に中継したり、またはトランシーバ５１からのデータを受信して機器に単に中継するというように機器に接続され、機器に対するデータの中継を行うような単なる機器接続手段であってもよいものである。
【００４６】
更に、上記実施形態の埋設式通信装置は、電界伝達媒体内に埋設されたペースメーカなどの機器内に内蔵されてもよく、機器内において本実施形態の埋設式通信装置は機器接続手段またはコンピュータを介して機器と接続し、機器からのデータの受信または機器へのデータの送信または機器とのデータの送受信を機器接続手段またはコンピュータを介して行うようにしてもよいものである。
【図面の簡単な説明】
【００４７】
【図１】本発明の一実施形態に係わる埋設式通信装置を用いたデータ処理システムの構成を示す図である。
【図２】図１に示す実施形態のデータ処理システムに使用されている埋設式通信装置の構成を詳細に示す図である。
【図３】図１、２に示す実施形態に使用されているトランシーバの構成を詳細に示すブロック図である。
【図４】図３に示すトランシーバに使用されている電界検出光学部の構成を示す図である。
【図５】本発明の他の実施形態に係わる埋設式通信装置の構成を示すブロック図である。
【符号の説明】
【００４８】
１    利用者
１ａ    生体
３    ペースメーカ
５、５０    埋設式通信装置
７    外側トランシーバ
９    外側コンピュータ
１１    外側送受信電極
１３    絶縁フィルム
３０    制御機器
５１    トランシーバ
５３    コンピュータ
５７    グランド電極
５９    送受信電極
６１    防水性絶縁被覆手段
【図１】
2005277718.tif 000003
【図２】
2005277718.tif 000004
【図３】
2005277718.tif 000005
【図４】
2005277718.tif 000006
【図５】
2005277718.tif 000007